(57)【特許請求の範囲】
【請求項１】
複数の無線通信受信機（３１０、３２０、３３０）を有する無線通信デバイスのための起動無線ユニット（３０５、４０５、４０６）であって、前記複数の無線通信受信機の各々が、それぞれの規格に従って受信するように適応され、前記起動無線ユニットが、
起動信号であって、シンボルの可能なセットの集合から選択されたシンボルのセットを備え、シンボルの各セットが、少なくとも部分的に、１つまたは複数の対応する規格を示す、起動信号を受信することと、
前記受信された起動信号のシンボルの前記セットを識別することと、
２つ以上の無線通信受信機が、シンボルの前記識別されたセットによって示された前記１つまたは複数の対応する規格に従って受信するように適応された場合、前記無線通信受信機の間の優先度付けに基づいて前記複数の無線通信受信機のうちの１つのみを選択することと、
前記選択された１つまたは複数の無線通信受信機を起動することと
によって、前記起動信号に基づいて前記複数の無線通信受信機のうちの１つまたは複数を選択するように適応された、起動無線ユニット（３０５、４０５、４０６）。
【請求項２】
前記起動無線ユニットは、
相関メトリックを達成するために、前記受信された起動信号をシンボルの可能なセットと相関させることと、
前記相関メトリックが相関基準を満たす場合、前記受信された起動信号のシンボルの前記セットをシンボルの前記可能なセットとして識別することと
によって、前記受信された起動信号のシンボルの前記セットを識別するように適応された、請求項１に記載の起動無線ユニット。
【請求項３】
前記受信された起動信号をシンボルの前記可能なセットのいずれかと相関させるように適応された厳密に１つの相関器（４０１）と、
前記相関器に、前記集合中のシンボルの前記可能なセット間で切り替えさせるように適応された回路要素（４０８、４０９）と
を備える、請求項２に記載の起動無線ユニット。
【請求項４】
前記集合中のシンボルの前記可能なセットの各々について１つの相関器（５０１、５０２、５０３）を備え、各相関器が、前記受信された起動信号をシンボルのその可能なセットと相関させるように適応された、請求項２に記載の起動無線ユニット。
【請求項５】
シンボルの前記識別されたセットの尤度に基づいて前記１つの無線通信受信機を選択するように適応された、請求項１に記載の起動無線ユニット。
【請求項６】
複数の無線通信受信機を有する無線通信デバイスのための構成であって、前記構成が、請求項１から５のいずれか一項に記載の起動無線ユニットを備える、構成。
【請求項７】
前記複数の無線通信受信機をさらに備える、請求項６に記載の構成。
【請求項８】
請求項６または７に記載の構成あるいは請求項１から５のいずれか一項に記載の起動無線ユニットを備える無線通信デバイス。
【請求項９】
複数の無線通信受信機を有する無線通信デバイスのための起動無線ユニットの方法であって、前記複数の無線通信受信機の各々が、それぞれの規格に従って受信するように適応され、前記起動無線ユニットが、前記複数の無線通信受信機のうちの１つまたは複数を選択するように適応され、前記方法が、
起動信号であって、シンボルの可能なセットの集合から選択されたシンボルのセットを備え、シンボルの各セットが、少なくとも部分的に、１つまたは複数の対応する規格を示す、起動信号を受信すること（６１０）と、
前記受信された起動信号のシンボルの前記セットを識別すること（６２１）と、
２つ以上の無線通信受信機が、シンボルの前記識別されたセットによって示された前記１つまたは複数の対応する規格に従って受信するように適応された場合、前記無線通信受信機の間の優先度付けに基づいて前記複数の無線通信受信機のうちの１つのみを選択すること（６２３）と、
前記選択された１つまたは複数の無線通信受信機を起動すること（６３０）と
を含む、方法。
【請求項１０】
前記受信された起動信号のシンボルの前記セットを識別することが、
相関メトリックを達成するために、前記受信された起動信号をシンボルの可能なセットと相関させることと、
前記相関メトリックが相関基準を満たす場合、前記受信された起動信号のシンボルの前記セットをシンボルの前記可能なセットとして識別することと
を含む、請求項９に記載の方法。
【請求項１１】
前記１つの無線通信受信機の前記選択が、シンボルの前記識別されたセットの尤度に基づく、請求項９に記載の方法。
【請求項１２】
プログラム命令を備えるコンピュータプログラムをその上に有する、コンピュータ可読媒体を備えるコンピュータプログラム製品であって、前記コンピュータプログラムが、データ処理ユニットにロード可能であり、前記コンピュータプログラムが前記データ処理ユニットによって動作させられたとき、請求項９から１１のいずれか一項に記載の方法の実行を引き起こすように適応された、コンピュータプログラム製品。
【発明の詳細な説明】
【技術分野】
【０００１】
本発明は、一般に無線通信受信機の分野に関する。より詳細には、本発明は、無線通信受信機のための起動無線機に関する。
【背景技術】
【０００２】
モノのインターネット（ＩｏＴ）をターゲットにする比較的多数の無線通信規格、たとえば、Ｂｌｕｅｔｏｏｔｈ  ＳＩＧ（スペシャルインタレストグループ）、ＩＥＥＥ（米国電気電子技術者協会）８０２．１１、ＩＥＥＥ８０２．１５、および３ＧＰＰ（第３世代パートナーシッププロジェクト）によって開発された無線通信規格がある。それゆえ、および他の状況では、無線通信デバイスは、いくつかの受信機（またはトランシーバ）を備え得、各々が、異なる規格または規格の異なるバージョンに関係する。
【０００３】
電力消費を低減することが、しばしば、無線通信デバイスに関する要望である。電力消費を低減する必要はしばしば、電源が、たとえば、デバイス自体のエネルギー採取（たとえば、ソーラー）あるいはほとんどまたは決して充電または交換されない低エネルギーバッテリーであり得る、モノのインターネット（ＩｏＴ）に関する無線通信デバイスについて特に顕著である。
【０００４】
多くのＩｏＴ適用例について、サポートされるデータレート（一般にピークと平均値の両方）は低い。したがって、ＩｏＴデバイスがデータを送信または受信しているときではなく、デバイスが、そのデバイスが意図された受信機である信号があるか否かを決定するためのリスニングモードにあるとき、電力のかなりの部分が消費される。これらの状態は、起動無線機（ＷＵＲ：ｗａｋｅ−ｕｐ  ｒａｄｉｏ）を使用することの動機となる。ＷＵＲを使用することの概念は、無線通信デバイスにおける電力消費を低減するための手段として当技術分野で知られている。
【０００５】
ＷＵＲは、メイン受信機よりも低い電力消費（一般に、極めて低い電力消費）を有し、その唯一の目的が、メイン受信機（またはトランシーバ）を起動することである、回路、ユニットまたはデバイスである。このため、ＷＵＲを有するデバイスは、ＷＵＲが代わりに使用され得るので、受信すべき潜在的信号（たとえば、データパケット）を走査するためにそのメイン受信機をオンにする必要がないことになる。ＷＵＲは、起動シグネチャ、またはデバイスのメイン受信機に宛てられた信号に先立って送られる起動信号（ＷＵＳ：ｗａｋｅ−ｕｐ  ｓｉｇｎａｌ）を検出することによって、デバイスが受信すべき信号があることを検出することができる。ＷＵＲが、ＷＵＳに基づいて、デバイスに宛てられた信号があると決定した場合、ＷＵＲは、メイン受信機（および場合によっては送信機）を起動し、信号の受信のために通信リンクが確立され得る。
【０００６】
無線通信デバイスの各メイン受信機（またはメイン受信機のうちのいくつか）のための起動無線機の使用は、電力消費を低減するが、そのような低減は十分でないことがある。さらに、無線通信デバイスのサイズおよび／またはコストも低減される必要があり得る。
【０００７】
それゆえ、無線通信デバイスのための改善された起動無線ソリューションの必要がある。
【発明の概要】
【０００８】
本明細書で使用される「備える、含む（ｃｏｍｐｒｉｓｅｓ）／備える、含む（ｃｏｍｐｒｉｓｉｎｇ）」という用語は、述べられた特徴、整数、ステップ、または構成要素の存在を明示するものととられるが、１つまたは複数の他の特徴、整数、ステップ、構成要素、またはそれらのグループの存在または追加を排除しないことを強調されるべきである。
【０００９】
また、本明細書で説明される問題、実施形態および利点は、上記で説明されたシナリオ以外の他のシナリオ、すなわち、（単一の無線通信デバイスに備えられた）複数の無線通信受信機の各々がＷＵＲに関連するシナリオにおいて等しく適用可能であり得ることに留意されたい。
【００１０】
いくつかの実施形態の目的は、上記または他の欠点のうちの少なくともいくつかを解決または緩和することである。
【００１１】
第１の態様によれば、これは、複数の無線通信受信機を有する無線通信デバイスのための起動無線ユニットによって達成される。起動無線ユニットは、起動信号を受信することと、起動信号に基づいて複数の無線通信受信機のうちの１つまたは複数を選択することと、選択された１つまたは複数の無線通信受信機を起動することとによって、複数の無線通信受信機のいずれかを起動するように適応される。
【００１２】
複数の無線通信受信機は、たとえば、２つまたはそれ以上の無線通信受信機からなり得る。各無線通信受信機は、起動無線機が全体として起動するように適応された無線通信トランシーバの部分であることも部分でないこともある。無線通信デバイスは、起動無線ユニットが起動するように適応されない他の無線通信受信機（またはトランシーバ）をも備え得る。
【００１３】
受信機を起動することは、たとえば、受信機への電源（ｐｏｗｅｒ  ｓｕｐｐｌｙ）をオンに切り替えることと、アンテナ信号が受信機に伝達されることを引き起こすことと、および／または受信機の動作を有効にすることとを備え得る。
【００１４】
いくつかの実施形態では、複数の無線通信受信機の各々は、それぞれの規格に従って受信するように適応され得る。起動信号は、シンボルの可能なセットの集合から選択されたシンボルのセットを備え得、シンボルの各セットは、少なくとも部分的に、１つまたは複数の対応する規格を示す。
【００１５】
そのような実施形態では、起動無線ユニットは、起動信号に基づいて複数の無線通信受信機のうちの１つまたは複数を、受信された起動信号のシンボルのセットを識別することと、シンボルの識別されたセットによって示された１つまたは複数の対応する規格に従って受信するように適応された１つまたは複数の無線通信受信機を選択することとによって、選択するように適応され得る。
【００１６】
規格は、たとえば、Ｂｌｕｅｔｏｏｔｈ  ＳＩＧ、ＩＥＥＥ、および３ＧＰＰのいずれかによって決定された通信規格（または通信規格のバージョン）を含み得る。通信規格は、受信および／または送信を含む、規格化された通信プロトコルの規定を含むと理解される。
【００１７】
シンボルの各セットは、たとえば、シンボルシーケンスを備え得る。シンボルはビットであり得る。起動信号の送信では、ビットは、たとえば、オン／オフキーイング（ＯＯＫ）、振幅シフトキーイング（ＡＳＫ）、または周波数シフトキーイング（ＦＳＫ）を使用して示され得る。
【００１８】
起動信号は、誤り訂正ブロックコードの特定のコードワードであり得、シンボルのセットは、そのコードワードの部分であり得る。シンボルの可能なセットの集合は、誤り訂正ブロックコード中のコードワードの部分のために可能であるすべての異なるシンボルシーケンスであり得る。
【００１９】
シンボルの各セットは、１つまたは複数の規格を明確に示し得る。たとえば、シンボルのセットは、明確に、厳密に１つの規格を示し得る。代替的に、２つまたはそれ以上の規格が、シンボルの同じセットによって示され得る。また代替的に、シンボルのセットは、２つまたはそれ以上の規格のいずれかに関係する受信機が起動されるべきであること（およびどの規格か）を示すために使用され得る。
【００２０】
いくつかの実施形態によれば、起動無線ユニットは、相関メトリックを達成するために、受信された起動信号をシンボルの可能なセットと相関させることと、相関メトリックが相関基準を満たす場合、受信された起動信号のシンボルのセットをシンボルの可能なセットとして（たとえば、識別子によって）識別することとによって、受信された起動信号のシンボルのセットを識別するように適応され得る。
【００２１】
相関基準は、たとえば、相関メトリックが相関しきい値よりも大きいこと、相関が、シンボルの異なる可能なセットに関係する相関メトリックのグループの中の最大相関メトリックであること、またはこれらの２つの基準の組合せを備え得る。
【００２２】
いくつかの実施形態では、起動無線ユニットは、受信された起動信号をシンボルの可能なセットのいずれかと相関させるように適応された厳密に１つの相関器と、相関器に、集合中のシンボルの可能なセットの間で（たとえば、ラウンドロビン様式で）切り替えさせるように適応された回路要素とを備え得る。
【００２３】
いくつかの実施形態では、起動無線ユニットは、集合中のシンボルの可能なセットの各々について１つの相関器を備え得、各相関器が、受信された起動信号をシンボルのその可能なセットと相関させるように適応される。この実施形態によれば、複数の受信機の各受信機は、起動無線ユニット中に対応する相関器を有し得る。
【００２４】
２つ以上の無線通信受信機が、シンボルの識別されたセットによって示された１つまたは複数の対応する規格に従って受信するように適応された場合、起動無線ユニットは、いくつかの実施形態では、それらの無線通信受信機のうちの１つのみ（またはサブセット、またはすべて）を選択するように適応され得る。選択は、シンボルの識別されたセットの尤度（たとえば、最大相関メトリック）および／または無線通信受信機の間の優先度付けに基づき得る。
【００２５】
起動無線ユニットは、いくつかの実施形態では、複数の無線通信受信機の各々（または少なくともいくつか）のためのそれぞれの規格の起動信号の送信のために使用される周波数帯域において動作するように適応され得る。そのような周波数帯域は、あらかじめ規定された周波数帯域であり得る。
【００２６】
第２の態様は、複数の無線通信受信機を有する無線通信デバイスのための構成であり、構成は、第１の態様の起動無線ユニットを備える。構成は、いくつかの実施形態によれば、複数の無線通信受信機をさらに備え得る。いくつかの実施形態では、構成は、無線通信受信機よりも少数の起動無線ユニット、たとえば、厳密に１つの起動無線ユニットを有する。
【００２７】
第３の態様は、第２の態様による構成または第１の態様の起動無線ユニットを備える無線通信デバイスである。
【００２８】
第４の態様によれば、複数の無線通信受信機を有する無線通信デバイスのための起動無線ユニットの方法であって、起動無線ユニットが、複数の無線通信受信機のいずれかを起動するように適応された、方法が提供される。
【００２９】
本方法は、起動信号を受信することと、起動信号に基づいて複数の無線通信受信機のうちの１つまたは複数を選択することと、選択された１つまたは複数の無線通信受信機を起動することとを含む。
【００３０】
第５の態様は、プログラム命令を備えるコンピュータプログラムをその上に有する、コンピュータ可読媒体を備えるコンピュータプログラム製品であって、コンピュータプログラムが、データ処理ユニットにロード可能であり、コンピュータプログラムがデータ処理ユニットによって動作させられたとき、第４の態様による方法の実行を引き起こすように適応された、コンピュータプログラム製品である。
【００３１】
いくつかの実施形態では、上記の態様のいずれかが、さらに、他の態様のいずれかについて上記で説明されたような様々な特徴のいずれかと同等のまたはそれらの特徴のいずれかに対応する特徴を有し得る。
【００３２】
いくつかの実施形態の利点は、減少された電力消費が可能にされることである。
【００３３】
いくつかの実施形態の別の利点は、無線通信デバイスのサイズおよび／またはコストが低減され得ることである。
【００３４】
また、いくつかの実施形態の利点は、多規格実装において起動無線機の効率的な使用および実装が与えられることである。
【００３５】
添付の図面を参照しながら、実施形態の以下の詳細な説明から、さらなる目的、特徴および利点が明らかになろう。
【図面の簡単な説明】
【００３６】
【図１】いくつかの実施形態による、多規格無線通信デバイスのための例示的なシナリオを例示する概略図である。
【図２】多規格無線通信デバイスのための起動無線機アーキテクチャの例示的な構成を例示する概略ブロック図である。
【図３】いくつかの実施形態による、多規格無線通信デバイスのための起動無線機アーキテクチャの例示的な構成を例示する概略ブロック図である。
【図４】いくつかの実施形態による、例示的な起動無線機を例示する概略ブロック図である。
【図５】いくつかの実施形態による、例示的な起動無線機を例示する概略ブロック図である。
【図６】いくつかの実施形態による、例示的な方法ステップを例示するフローチャートである。
【図７】いくつかの実施形態による、コンピュータ可読媒体を例示する概略図である。
【発明を実施するための形態】
【００３７】
以下では、多規格サポートのための起動無線（ＷＵＲ）ユニットの実施形態が説明される。いくつかの実施形態によれば、単一のＷＵＲユニットが、２つ以上の受信機のための起動動作をサポートするように適応され、受信機は、それぞれの規格に従って受信するように適応される。
【００３８】
これは、いくつかの実施形態によれば、２つ以上の規格に関係する起動信号（ＷＵＳ）を受信および検出することが可能である、ＷＵＲユニットによって達成される。（ＷＵＳに関連する（１つまたは複数の）規格を示す）ＷＵＳの検出に基づいて、ＷＵＲユニットは、受信機のうちのどの（１つまたは複数の）受信機を起動すべきかを選択し、残りの受信機は、それらの受信機のそれぞれのスリープモードのままにされる。
【００３９】
概して、異なる受信機は、異なる規格に関連する必要はないが、ＷＵＳによって示された何らかの他のやり方において異なり得る。ただし、異なる規格に関係する異なる受信機の例は、限定的なものとして意図されることなしに、本明細書全体にわたって使用される。
【００４０】
図１は、無線通信デバイス１００が、異なる規格に関係する信号（１１１、１２１、１３１）を受信し得る、いくつかの実施形態に関して関連のあるシナリオを概略的に例示する。図１の例では、信号１１１は、（たとえば、ＵＭＴＳ  ＬＴＥ−Ｕｎｉｖｅｒｓａｌ  Ｍｏｂｉｌｅ  Ｔｅｌｅｃｏｍｍｕｎｉｃａｔｉｏｎ  Ｓｔａｎｄａｒｄ，Ｌｏｎｇ  Ｔｅｒｍ  Ｅｖｏｌｕｔｉｏｎなど、３ＧＰＰ規格に従って）セルラー通信システムの基地局１１０から受信され、信号１２１は、（たとえば、ＩＥＥＥ８０２．１１規格に従って）無線ローカルエリアネットワークシステムのアクセスポイント１２０から受信され、信号１３１は、（たとえば、Ｂｌｕｅｔｏｏｔｈ低エネルギー−ＢＬＥなど、Ｂｌｕｅｔｏｏｔｈ規格に従って）別の無線通信デバイス１３０から受信される。これらの異なるタイプの信号を受信することが可能であるためには、無線通信デバイス１００は、それぞれの対応する受信機を必要とする。電力消費は、一般に、デバイスの受信機の数とともに増加し、起動無線概念が、上記で説明されたように電力消費を減少させるために使用され得る。
【００４１】
図２は、図１のデバイス１００など、多規格無線通信デバイスのための起動無線アーキテクチャの例示的な構成２００を概略的に例示する。
【００４２】
実装形態は、それぞれの規格に従う受信／送信に対応する複数のトランシーバ（ＴＸ／ＲＸ１、２、３）２１０、２２０、２３０を備える。この例では、３つのトランシーバ２１０、２２０、２３０は、たとえば、図１の信号１１１、１２１、１３１のうちのそれぞれの信号を受信するように適応され得る。説明を簡単にするために、トランシーバのすべてについてトランシーバ信号に対して単一のアンテナが仮定される。
【００４３】
各トランシーバは、それぞれの起動無線ユニット（ＷＵＲ１、２、３）２１２、２２２、２３２に関連する。アイドルモードで開始すると、スイッチ２０２が、図２に示されているロケーションにあり、起動無線ユニット２１２、２２２、２３２の各々にアンテナ信号を伝達するが、トランシーバ２１０、２２０、２３０は、それぞれのスリープモードにある。
【００４４】
起動無線ユニットのいずれか（たとえば、ＷＵＲ３、２３２）が、その起動無線ユニットが監視している規格に関係し、無線通信デバイスに宛てられた、ＷＵＳを検出したとき、その起動無線ユニットは、その関連するトランシーバ（ＴＸ／ＲＸ３、２３０）を起動し、スイッチ２０２に、アンテナ信号が起動無線ユニットの代わりにトランシーバに伝達されるように、位置をシフトさせる。次いで、起動されたトランシーバは、そのトランシーバが再びスリープモードに入るまで、規格化されたように通信し、スイッチ２０２に、図２に示されているロケーションに位置をシフトさせる。
【００４５】
起動無線概念を使用して電力が節約されるが、図２のアーキテクチャは、本明細書で提示される実施形態によって例示されるように、（たとえば、電力消費、サイズ、および／またはコストに関して）なお一層合理化され得る。
【００４６】
さらに、図２の構成は、トランシーバのうちの１つに宛てられたＷＵＳが、トランシーバのうちの別の１つを誤って（同じく）起動し得るという欠点を有する。これが起こった場合、電力消費は増加する。このシナリオにおけるさらなる問題は、たとえば、２つのトランシーバが同じ周波数帯域において動作している場合、それらのトランシーバによって使用される規格間の考えられる共存問題である。
【００４７】
いくつかの実施形態は、図３中の例示的な構成３００によって概略的に例示される。構成３００は、図１のデバイス１００など、多規格無線通信デバイスのための起動無線アーキテクチャである。
【００４８】
実装形態は、それぞれの受信／送信規格に対応する複数のトランシーバ（ＴＸ／ＲＸ１、２、３）３１０、３２０、３３０を備える（図２の２０１、２２０、２３０と比較されたい）。３つのトランシーバ３１０、３２０、３３０は、たとえば、図１の信号１１１、１２１、１３１のうちのそれぞれの信号を受信するように適応され得る。説明を簡単にするために、トランシーバのすべてについてトランシーバ信号に対して単一のアンテナが仮定される。
【００４９】
図２の構成とは対照的に、トランシーバ３１０、３２０、３３０のすべてが、同じ起動無線ユニット（ＷＵＲ）３０５に関連する。アイドルモードで開始すると、スイッチ３０２が、図３に示されているロケーションにあり、起動無線ユニット３０５にアンテナ信号を伝達するが、トランシーバ３１０、３２０、３３０は、それぞれのスリープモードにある。
【００５０】
起動無線ユニット３０５は、対応するトランシーバ３１０、３２０、３３０のすべての規格のＷＵＳを監視し、起動無線ユニットが、それらのその規格のいずれかに関係し、無線通信デバイスに宛てられた、ＷＵＳを検出したとき、起動無線ユニットは、対応するトランシーバ（たとえば、ＴＸ／ＲＸ３、３３０）を起動し、スイッチ３０２に、アンテナ信号が起動無線ユニットの代わりにトランシーバに伝達されるように、位置をシフトさせる。次いで、起動されたトランシーバは、そのトランシーバが再びスリープモードに入るまで、規格化されたように通信し、スイッチ３０２に、図３に示されているロケーションに位置をシフトさせる。
【００５１】
図２および図３に示されている例では、（１つまたは複数の）ＷＵＲ（２１２、２２２、２３２、３０５）および異なるメイントランシーバ（２１０、２２０、２３０、３１０、３２０、３３０）のために同じアンテナが使用され、（１つまたは複数の）ＷＵＲのみがアクティブであるか否かを例示するためにスイッチ（２０２、３０２）が使用される。これは、ＷＵＳが検出されるまでＷＵＲのみがアクティブであり、ＷＵＳが検出された後、メイントランシーバのうちの１つまたは複数がアクティブになることを強調するための例示にすぎない。実施形態は、単一の共通アンテナの使用に制限されず、たとえば、メイントランシーバのすべて（またはいくつか）が（たとえば、異なる周波数帯域での動作により）異なるアンテナを有するとき、および／またはＷＵＲが別個のアンテナを有するときにも適用可能であり得ることを理解されたい。別個のアンテナを有するＷＵＲは、たとえば、デバイスによってサポートされる規格のいずれかのためにメイントランシーバのいずれかによって使用される周波数とは（場合によっては実質的に）異なる周波数を使用してＷＵＳが送られる場合、適用可能であり得る。
【００５２】
したがって、図３は、無線通信デバイスのための例示的な構成３００を例示し、構成は、起動無線ユニット３０５と、複数の無線通信受信機３１０、３２０、３３０とを備える。起動無線ユニット３０５は、起動信号を受信することと、起動信号に基づいて複数の無線通信受信機３１０、３２０、３３０のうちの１つまたは複数を選択することと、選択された１つまたは複数の無線通信受信機を起動することとによって、複数の無線通信受信機３１０、３２０、３３０のいずれかを起動するように適応される。
【００５３】
誤り（フォールスアラームおよび／または不検出）の低い見込みを達成するために、たとえば、誤り訂正ブロックコードに基づいて、起動信号（ＷＵＳ）を構築することが有益であり得る。これは、そのようなコードのコードワードは、一般に、ある最小距離しきい値よりも大きいことを保証される相互距離（たとえば、ハミング距離）を有するからである。このため、コードワードに異なるＷＵＳを表させることは、いくつかの誤り見込み特性を裏付ける。
【００５４】
いくつかの実施形態では、（シンボルのセットを備える）コードワードの部分は、ＷＵＳがどの規格に関連するかを示すように専用化され得る。各規格は、シンボルの単一のセットまたはシンボルのセットのグループに関連し得る。同様に、シンボルの各セットが単一の規格に関連し得るか、またはいくつかの規格がシンボルの同じセットに関連し得る。いくつかの実施形態では、シンボルのセットは、異なる規格に関係する、１つまたは複数の受信機のみが起動されるべきであるかどうか（および場合によってはいくつの受信機が起動されるべきであるか）を示した、あるサブセットを有する。したがって、シンボルのセットは、少なくとも部分的に、１つまたは複数の対応する規格を示す。シンボルの可能なセットの集合が、コードのすべてのコードワードの対応する部分によって形成される。
【００５５】
起動信号は、代替的に、起動信号が、シンボルの可能なセットの集合から選択されたシンボルのセットを備えるように、他の好適なやり方で構築され得、シンボルの各セットは、少なくとも部分的に、１つまたは複数の対応する規格を示す。
【００５６】
起動無線ユニット３０５は、したがって、起動信号に基づいて複数の無線通信受信機３１０、３２０、３３０のうちの１つまたは複数を、受信された起動信号のシンボルのセットを識別することと、シンボルの識別されたセットによって示された１つまたは複数の対応する規格に従って受信するように適応された１つまたは複数の無線通信受信機を選択することとによって、選択するように適応され得る。
【００５７】
２つ以上の無線通信受信機が、シンボルの識別されたセットによって示された１つまたは複数の対応する規格に従って受信するように適応された場合、起動無線ユニットは、それらの無線通信受信機のうちの１つのみ、またはサブセット、またはすべてを選択するように適応され得る。選択は、シンボルの識別されたセットの尤度（たとえば、最大相関メトリック）および／または無線通信受信機の間の優先度付けに基づき得る。上述のように、そのような場合、いくつの（および場合によってはどの）無線通信受信機が選択されるべきであるかに関するＷＵＳ中の指示もあり得る。
【００５８】
いくつかの実施形態によれば、起動無線ユニット３０５は、相関メトリックを達成するために、受信された起動信号をシンボルの可能なセットと相関させることと、相関メトリックが相関基準を満たす場合、受信された起動信号のシンボルのセットをシンボルの可能なセットとして識別することとによって、受信された起動信号のシンボルのセットを識別するように適応され得る。
【００５９】
相関基準は、たとえば、相関メトリックが相関しきい値よりも大きいこと、相関が、シンボルの異なる可能なセットに関係する相関メトリックのグループの中の最大相関メトリックであること、またはこれらの２つの基準の組合せを備え得る。
【００６０】
図４は、いくつかの実施形態による、例示的な起動無線ユニット（ＷＵＲ）４０５を例示し、ＷＵＲ４０５は、たとえば、図３のＷＵＲ３０５として使用され得る。ＷＵＲ４０５は、受信された起動信号を、一般にレジスタまたは他のメモリユニット（ＳＳ）４０９に記憶された、シンボルの可能なセットのいずれかと相関させるように適応された厳密に１つの相関器（ＣＯＲＲ）４０１を備える。制御回路要素（ＣＮＴＲ）４０８は、対応する相関メトリックを作り出すために、相関器に、集合中のシンボルの可能なセット（ＳＳ）間で切り替えさせるように適応される。
【００６１】
識別器（ＩＤ）４０７が、たとえば、上記で説明された基準に従って、起動信号中のシンボルのセットが、シンボルの可能なセットのテストされたものに対応するか否かを識別する。（もしあれば）どの（１つまたは複数の）無線通信受信機を起動すべきかの選択は、起動信号中のシンボルのセットの識別が識別器によって達成されるとすぐに、対応する受信機が起動されるように実装され得る。代替的に、もしあれば、（１つまたは複数の）識別は、最終選択の前に、さらなる評価（たとえば、相関メトリック大きさ（複数可）および／または優先度付けの比較）のために、（図示されないまたは識別器に含まれる）セレクタに入力され得る。
【００６２】
また、図５は、いくつかの実施形態による、例示的な起動無線ユニット（ＷＵＲ）５０５を例示し、ＷＵＲ５０５は、たとえば、図３のＷＵＲ３０５として使用され得る。ＷＵＲ５０５は、集合中のシンボルの可能なセットの各々について１つの相関器（ＣＯＲＲ１、２、３）５０１、５０２、５０３を備え、これは、一般に、必ずしもそうではないが、受信機の各々について１つの相関器を意味する。各相関器は、受信された起動信号をシンボルの専用化された可能なセットと相関するように適応される。
【００６３】
識別器（ＩＤ）５０７が、たとえば、上記で説明された基準に従って、起動信号中のシンボルのセットが、シンボルのテストされた可能なセットのいずれかに対応するか否かを識別する。（もしあれば）どの（１つまたは複数の）無線通信受信機を起動すべきかの選択は、起動信号中のシンボルのセットのすべての識別が、対応する（１つまたは複数の）受信機が起動されることを生じるように実装され得る。代替的に、もしあれば、（１つまたは複数の）識別は、最終選択の前に、さらなる評価（たとえば、相関メトリック大きさ（複数可）および／または優先度付けの比較）のために、（図示されないまたは識別器に含まれる）セレクタに入力され得る。
【００６４】
（場合によっては図４および図５の実施形態のいずれかと組み合わせられ得る）いくつかの実施形態では、ＷＵＲは、検出器、たとえば、包絡線検出器と、その後に続く１つまたは複数の相関器とを備え得る。包絡線検出器は、存在する信号が少しでもあるか否かを決定するために使用され得、存在する信号がある場合、（１つまたは複数の）相関器は、信号がどのＷＵＳに対応するかを識別するために使用され得る。代替的に、検出器は、たとえばＯＯＫを使用して変調されている信号を復調するために使用され、その後に、信号がどのＷＵＳに対応するかを識別するために使用される相関器が続き得る。検出器からの出力は、ハード（すなわち、単一のビット）またはソフト（すなわち、確実性をも反映する）であり得る。ソフト情報は、わずかにより高い複雑さにおいてより良好な性能を与える。
【００６５】
図６は、いくつかの実施形態による、例示的な方法６００を例示する。たとえば、方法は、図３〜図５に関して例示されている起動無線ユニット３０５、４０５、５０５のいずれかによって実施され得る。方法は、複数の無線通信受信機を有する無線通信デバイスの起動無線ユニットのためのものであり、起動無線ユニットは、複数の無線通信受信機のいずれかを起動するように適応される。
【００６６】
方法は、起動信号を受信すること（ステップ６１０）と、起動信号に基づいて複数の無線通信受信機のうちの１つまたは複数を選択すること（ステップ６２０）と、選択された１つまたは複数の無線通信受信機を起動すること（ステップ６３０）とを含む。
【００６７】
上記の説明と対応して、起動信号に基づいて複数の無線通信受信機のうちの１つまたは複数を選択するステップは、受信された起動信号のシンボルのセットを識別すること（ステップ６２１）と、シンボルの識別されたセットによって示された１つまたは複数の対応する規格に従って受信するように適応された１つまたは複数の無線通信受信機を選択すること（ステップ６２３）とを含み得る。
【００６８】
図３〜図５の構成および起動無線ユニットの動作の説明から方法の他の詳細が導出され得る。
【００６９】
説明される実施形態およびそれらの均等物は、ソフトウェアまたはハードウェアあるいはそれらの組合せで実現され得る。それらは、デジタル信号プロセッサ（ＤＳＰ）、中央処理ユニット（ＣＰＵ）、コプロセッサユニット、フィールドプログラマブルゲートアレイ（ＦＰＧＡ）または他のプログラマブルハードウェアなど、通信デバイスに関連するまたは通信デバイスと一体の汎用回路によって、または、たとえば、特定用途向け集積回路（ＡＳＩＣ）など、専用回路によって実施され得る。すべてのそのような形態は、本開示の範囲内に入ることが企図される。
【００７０】
実施形態は、実施形態のいずれかによる、構成／回路要素／論理を備えるかまたは方法を実施する（無線通信デバイスなどの）電子装置内に現れ得る。
【００７１】
いくつかの実施形態によれば、コンピュータプログラム製品は、たとえば、ＵＳＢスティック、プラグインカード、組込みドライブ、または図７に例示されているＣＤ−ＲＯＭ７００などの読取り専用メモリ（ＲＯＭ）など、コンピュータ可読媒体を備える。コンピュータ可読媒体は、プログラム命令を備えるコンピュータプログラムをその上に記憶していることがある。コンピュータプログラムは、たとえば、無線通信デバイス７１０に備えられ得る、データ処理ユニット（ＰＲＯＣ）７２０にロード可能であり得る。データ処理ユニットにロードされたとき、コンピュータプログラムは、データ処理ユニットに関連するまたはデータ処理ユニットと一体のメモリ（ＭＥＭ）７３０に記憶され得る。いくつかの実施形態によれば、コンピュータプログラムは、データ処理ユニットにロードされ、データ処理ユニットによって動作させられたとき、たとえば、図６に示されている方法による、方法ステップの実行を引き起こし得る。
【００７２】
様々な実施形態への参照が本明細書で行われた。ただし、当業者は、特許請求の範囲内に依然として入るであろう、説明される実施形態への多数の変形形態を認識するであろう。たとえば、本明細書で説明される方法実施形態は、ある順序で実施される方法ステップを通して例示的な方法を説明する。しかしながら、特許請求の範囲から逸脱することなく、イベントのこれらのシーケンスが別の順序で行われ得ることを認識されたい。さらに、いくつかの方法ステップは、順次実施されるものとして説明されたが、それらの方法ステップは並列に実施され得る。
【００７３】
同様の様式で、実施形態の説明において、特定のユニットへの機能ブロックの区分は決して限定的でないことに留意されたい。これに反して、これらの区分は例にすぎない。１つのユニットとして本明細書で説明される機能ブロックは、２つまたはそれ以上のユニットに分けられ得る。同様の様式で、２つまたはそれ以上のユニットとして実装されるものとして本明細書で説明される機能ブロックは、特許請求の範囲を逸脱することなく、単一のユニットとして実装され得る。
【００７４】
したがって、説明されている実施形態の詳細は、単に例示を目的としたものであって、限定を意味していないことを理解されたい。それどころか、特許請求の範囲内に入るすべての変形例は、特許請求の範囲内に包含されることを意図するものである。
【図１】
0006895520.tif 000002
【図２】
0006895520.tif 000003
【図３】
0006895520.tif 000004
【図４】
0006895520.tif 000005
【図５】
0006895520.tif 000006
【図６】
0006895520.tif 000007
【図７】
0006895520.tif 000008